(57)【要約】  信号判別監視回路は、映像信号の全黒を検出し、該検出結果を示す黒検出信号を出力すると共に、映像信号が所定の期間途切れたとき、所要のパルス幅を備えた黒検出信号を出力する全黒検出回路を備え、全黒検出回路から黒検出信号が出力されると、次に入力されるフレームの映像信号に含まれる水平同期信号の周波数が予め設定された所定値以上変化したか否かを判定することで入力された映像信号の解像度が変更されたか否かを検出し、該映像信号の解像度の変更を検出すると、該検出結果を示す変更検出信号を出力する。スケーラー回路は、変更検出信号を受信すると、表示映像を静止状態にするために映像表示信号を固定値で出力する。
2011033607.tif 000002
【特許請求の範囲】
【請求項１】
入力された映像信号に基づいて映像を表示するための映像表示信号を生成し、前記映像表示信号にしたがって映像を表示する映像表示装置であって、
前記映像信号の全黒を検出し、該検出結果を示す黒検出信号を出力すると共に、前記映像信号が所定の期間途切れたとき、前記映像信号が無い無信号状態であるか否かの判定に要する時間よりも長い所要のパルス幅を備えた黒検出信号を出力する全黒検出回路を備え、前記全黒検出回路から前記黒検出信号が出力されると、次に入力されるフレームの映像信号に含まれる水平同期信号の周波数が予め設定された所定値以上変化したか否かを判定することで入力された映像信号の解像度が変更されたか否かを検出し、該映像信号の解像度の変更を検出すると、該検出結果を示す変更検出信号を出力する信号判別監視回路と、
前記変更検出信号を受信すると、表示映像を静止状態にするために前記映像表示信号を固定値で出力するスケーラー回路と、
を有する映像表示装置。
【請求項２】
前記信号判別監視回路は、
変更後の映像信号に対応した画像処理の設定が完了すると、該画像処理の設定完了を示す設定完了信号を出力し、
前記スケーラー回路は、
前記設定完了信号を受信すると、前記表示映像の静止状態を解除する請求項１記載の映像表示装置。
【請求項３】
前記スケーラー回路は、
前記映像信号に対して非同期な垂直同期信号であるパネル用垂直同期信号を生成する同期信号生成回路を備え、
前記黒検出信号を受信すると、前記映像表示信号と共に前記パネル用垂直同期信号を出力し、
前記設定完了信号を受信すると、前記変更後の映像信号から抽出した垂直同期信号と共に前記変更後の映像信号から生成した映像表示信号を出力する請求項２記載の映像表示装置。
【請求項４】
前記スケーラー回路は、
前記所要のパルス幅を備えた黒検出信号を受信している場合、該黒検出信号が終了した時点で前記表示映像の静止状態を解除する請求項１から３のいずれか１項記載の映像表示装置。
【発明の詳細な説明】
【技術分野】
【０００１】
本発明は複数種類の映像信号を受け付け可能な映像表示装置に関する。
【背景技術】
【０００２】
複数種類の映像信号（ＲＧＢ信号、ＹＣｂＣｒ信号、あるいは異なる解像度の映像信号）を受け付ける映像表示装置（例えば、プロジェクター）では、入力された映像信号の種類や解像度を判別し、その判別結果に応じた最適な画像処理に切り替えて映像を表示する。映像信号の種類や解像度を判別する方法については、例えば特許文献１に記載されている。【０００３】
なお、ＲＧＢ信号は、Ｒ（赤）、Ｇ（緑）、Ｂ（青）の３原色の色信号と複数種類の同期信号とを有し、ＹＣｂＣｒ信号は、Ｙ（輝度）信号とＣｒ（Ｒ−Ｙ）の色差信号とＣｂ（Ｂ−Ｙ）の色差信号と複数種類の同期信号とを有する。【０００４】
映像信号の解像度には、多数のモードが知られており、例えばＶＧＡ，ＳＶＧＡ，ＸＧＡ，ＷＸＧＡ，ＳＸＧＡ，ＳＸＧＡ＋，ＷＳＸＧＡ，＋ＵＸＧＡ，ＷＵＸＧＡ，ＱＸＧＡ等がある。【０００５】
図１は、背景技術の映像表示装置の構成を示すブロック図である。図１に示す映像表示装置は上記特許文献１に記載された構成である。【０００６】
図１に示すように、背景技術の映像表示装置は、Ａ／Ｄコンバータ１、信号判別監視回路２、スケーラー（Scaler）回路３、ＣＰＵ４、パネル（Panel）駆動回路５及び表示パネル６を備えている。【０００７】
Ａ／Ｄコンバータ１は、コンピュータや種々の映像再生装置から入力された、同期信号を含む映像信号をデジタル信号に変換する。【０００８】
信号判別監視回路２は、入力された映像信号（以下、入力映像信号と称す）から水平同期信号及び垂直同期信号を抽出し、該水平同期信号及び垂直同期信号から入力映像信号の種類や解像度の判別に必要な各種の情報を検出し、検出した情報をＣＰＵ４へ出力する。なお、映像表示装置には、不図示の同期分離部により映像信号から水平同期信号及び垂直同期信号を抽出して信号判別監視回路２に供給する構成もある。【０００９】
信号判別監視回路２で検出する情報としては、水平同期周波数、垂直同期周波数、総ライン数、同期極性（NegaまたはPosi）、同期タイプ（Sep（水平、垂直周波数）、ＣＳ（コンポジットシンク：複合同期）またはＳｙｎｃ  ｏｎ  Ｇ（緑信号同期）、Ｔｒｉ  Ｓｙｎｃ（三値同期））、スキャンタイプ（Interlaced：インターレース、またはNon-Interlaced：ノンインターレース）、垂直同期幅、有効映像ライン数等がある。【００１０】
ＣＰＵ４は、信号判別監視回路２で検出された情報を用いて入力映像信号の変更有無並びに変更後の入力映像信号の種類や解像度を判別し、該判別結果に基づいて入力映像信号に対応した画像処理で必要な各種の設定処理を行う。ＣＰＵ４が設定するパラメータとしては、例えばＡ／Ｄコンバータ１で用いるクロックを生成するためのＰＬＬ回路（不図示）の分周比や位相、スケーラー回路３で用いる解像度変換用データ、表示映像のアスペクト比、カラーシステム等がある。【００１１】
スケーラー回路３は、ＣＰＵ４によって設定されたパラメータにしたがって入力映像信号の解像度を表示パネル６の解像度に変換し、表示パネル６に映像を表示させるための映像表示信号を生成してパネル駆動回路５へ出力する。【００１２】
信号判別監視回路２及びスケーラー回路３は、メモリ、各種の論理回路から成るＬＳＩ、プログラムにしたがって処理を実行するＣＰＵ等によって実現できる。【００１３】
パネル駆動回路５は、スケーラー回路３から出力された映像表示信号にしたがって表示パネル６に映像を形成する。表示パネル６に形成された映像は、例えば光源を含む不図示の投射用光学系によってスクリーン等へ投影される。【００１４】
表示パネル６には、映像表示装置が直視型の表示装置の場合は、例えばＬＣＤ（Liquid  Crystal  Display）が用いられ、映像表示装置が投射型の表示装置の場合は、例えばＤＭＤ（Digital  Mirror  Device）が用いられる。【００１５】
図１に示すように、スケーラー回路３は、フレームメモリ３１、映像入力部３２、解像度変換部３３、映像出力部３４、同期切替えスイッチ３５及び同期信号生成回路３６を備えている。【００１６】
フレームメモリ３１は、順次入力される映像信号のデータ（以下、映像データと称す）を１フレーム単位で一時的に保存する。フレームメモリ３１は、例えば３フレーム以上の映像データが格納可能なメモリ容量を備えている。フレームメモリ３１には映像入力部３２によって映像データが１フレーム単位で保存され、解像度変換部３３によって解像度が変換された後、映像出力部３４により映像表示信号としてパネル駆動部５へ出力される。【００１７】
このとき、同期切替えスイッチ３５は、ＣＰＵ４からの指示にしたがって入力映像信号から抽出された垂直同期信号、または同期信号生成回路３６で生成した、入力映像信号に対して非同期なパネル用垂直同期信号（６０Ｈｚ）のいずれか一方を映像出力部３４へ供給する。映像出力部３４は、同期切替えスイッチ３５から供給された垂直同期信号を映像表示信号と共にパネル駆動回路５へ出力する。【００１８】
例えば、表示パネル６で表示可能な垂直同期周波数が６０Ｈｚ以下の場合、入力映像信号から抽出した垂直同期信号の周波数が６０Ｈｚよりも高いと、該垂直同期信号に同期して表示パネル６に映像を表示できないことがある。そこで、背景技術の映像表示装置では、入力映像信号から得られる垂直同期信号の周波数が６０Ｈｚ以下の場合は、その垂直同期信号を用いて表示パネル６に映像を表示し、６０Ｈｚよりも高い周波数の場合は入力映像信号に対して非同期なパネル用垂直同期信号（６０Ｈｚ）を用いて表示パネル６に映像を表示している。【００１９】
図１に示した映像表示装置では、入力映像信号の種類や解像度を判別する信号判別処理、判別した入力映像信号に対応した画像処理を設定する画像処理設定、映像信号の変化を監視する信号監視処理を順次実行することで、入力映像信号の種類や解像度を誤りなく判定し、該映像信号に対応した適切な画像処理を実施して映像を表示している。【００２０】
次に、図１に示した背景技術の映像表示装置で実行する信号判別処理、画像処理設定及び信号監視処理について具体的に説明する。【００２１】
以下では、映像再生装置としてコンピュータが用いられ、該コンピュータの外部映像出力端子から出力された映像信号（ＲＧＢ信号）が映像表示装置へ入力され、該映像信号の解像度がＷＳＸＧＡ＋からＷＵＸＧＡへ切り替わる場合を例にして、背景技術の映像表示装置の動作について説明する。なお、ＷＳＸＧＡ＋の映像信号仕様は表１に示すとおりであり、ＷＵＸＧＡの映像信号仕様は表２に示すとおりである。【００２２】
【表１】
2011033607.tif 000003
【００２３】
【表２】
2011033607.tif 000004
映像表示装置は、ＷＳＸＧＡ＋の映像信号が入力されると、まず信号判別処理として、信号判別監視回路２により水平同期信号及び垂直同期信号の間隔を所定の基準クロックを用いてカウントし、水平同期周波数（６４．６７４ＫＨｚ：誤差±１％精度）及び垂直同期周波数（５９．８８３Ｈｚ：誤差±０．５％精度）をそれぞれ測定する。【００２４】
また、信号判別監視回路２は、水平同期周波数及び垂直同期周波数の測定時に得られたカウント値より映像信号の総ライン数（１０８０Line：誤差±１％精度）を算出し、算出した総ライン数に基づき、入力映像信号の有効映像ライン数を決定する（１０５０Line）。【００２５】
さらに、信号判別監視回路２は、水平同期信号及び垂直同期信号から映像信号の同期極性（Ｈ：Posi、Ｖ：Nega）、同期タイプ（Sep）、スキャンタイプ（Non-Interlaced）及び垂直同期信号幅（６Line）を検出し、これらの情報をＣＰＵ４へ出力する。【００２６】
ＣＰＵ４は、信号判別監視回路２で検出した各種の情報から入力映像信号の種類（ＲＧＢ信号）及び解像度（ＷＳＸＧＡ＋）を確定し、表示映像のアスペクト比１６：１０を決定する。【００２７】
このとき、ＣＰＵ４は、入力映像信号に変更があるか否かの誤判定を避けるため、ＣＰＵ４の処理周期（例えば、２５ｍｓｅｃ）毎に信号判別監視回路２から複数回（例えば、５回）情報（例えば、水平同期周波数）を取得し、その情報に基づき入力映像信号の変更有無を検出する。また、入力映像信号の変更を検出すると、信号判別監視回路２から複数回（例えば、３回）情報を取得し、変更後の入力映像信号の種類や解像度を判定する。【００２８】
ＣＰＵ４は、入力映像信号の種類や解像度が確定すると、上記画像処理設定に移行し、確定した入力映像信号の種類（ＲＧＢ信号）や解像度（ＷＳＸＧＡ＋）に対応したパラメータ値（Ａ／Ｄコンバータ１用の分周比及び位相、スケーラー回路３用の解像度変換データ、アスペクト比、カラーシステム）をＡ／Ｄコンバータ１及びスケーラー回路３に供給する。【００２９】
その後、映像表示装置は、入力映像信号の信号監視処理へ移行する。【００３０】
信号監視処理では、測定精度を信号判別処理よりも狭い範囲に設定して、信号判別監視回路２により、上記信号判別処理と同様に、入力映像信号の水平同期周波数（６４．７ＫＨｚ：誤差±０．５％精度）および垂直同期周波数（６０Ｈｚ：誤差±０．２５％精度）の測定で得られたカウント値より入力映像信号の総ライン数１０８０Line（誤差±０．５％精度）を算出する。【００３１】
また、ＣＰＵ４は、その処理周期毎に、信号判別監視回路２で検出された同期極性（Ｈ：Posi、Ｖ：Nega）、同期タイプ（Sep）、スキャンタイプ（Non-Interlaced）、垂直同期幅を取得し、入力映像信号の種類や解像度の変化を監視する。【００３２】
そして、映像表示装置は、入力映像信号がＷＳＸＧＡ＋からＷＵＸＧＡに変更された場合は、信号判別監視回路２で信号が変わったことを検出し、表示映像をミュート（Mute）し、信号判別処理に移行する。なお、背景技術の映像表示装置には、表示映像のミュートに代えて、ブルー映像やロゴ（Logo）を表示する構成もある。【００３３】
入力映像信号がＷＳＸＧＡ＋からＷＵＸＧＡに変更された後の信号判別処理では、上記と同様に信号判別監視回路２により水平同期信号及び垂直同期信号の間隔を所定の基準クロックを用いてカウントし、水平同期周波数（７４．０３８ＫＨｚ：誤差±１％精度）及び垂直同期周波数（５９．９５Ｈｚ：誤差±０．５％精度）をそれぞれ測定する。【００３４】
また、信号判別監視回路２は、水平同期周波数及び垂直同期周波数のカウント値より映像信号の総ライン数（１２３５Line：誤差±１％精度）を算出し、算出した総ライン数に基づき、入力映像信号の有効映像ライン数を決定する（１２００Line）。【００３５】
さらに、信号判別監視回路２は、水平同期信号及び垂直同期信号から映像信号の同期極性（Ｈ：Posi、Ｖ：Nega）、同期タイプ（Sep）、スキャンタイプ（Non-Interlaced）及び垂直同期信号幅（６Line）を検出し、これらの情報をＣＰＵ４へ出力する。【００３６】
ＣＰＵ４は、信号判別監視回路２で検出した各種の情報から入力映像信号の種類（ＲＧＢ信号）及び解像度（ＷＵＸＧＡ）を確定し、アスペクト比１６：１０を決定する。【００３７】
このとき、ＣＰＵ４は、入力映像信号に変更があるか否かの誤判定を避けるため、ＣＰＵ４の処理周期（例えば、２５ｍｓｅｃ）毎に信号判別監視回路２から複数回（例えば、５回）情報（例えば、水平同期周波数）を取得し、その情報に基づき入力映像信号の変更有無を検出する。また、入力映像信号の変更を検出すると、信号判別監視回路２から複数回（例えば、３回）情報を取得し、変更後の入力映像信号の種類や解像度を判定する。【００３８】
ＣＰＵ４は、入力映像信号の種類や解像度が確定すると、画像処理設定に移行し、確定した入力映像信号の種類（ＲＧＢ信号）や解像度（ＷＵＸＧＡ）に対応したパラメータ値（Ａ／Ｄコンバータ１用の分周比及び位相、スケーラー回路３用の解像度変換データ、アスペクト比、カラーシステム）をＡ／Ｄコンバータ１及びスケーラー回路３に供給する。【００３９】
以降、映像表示装置は、映像信号の信号監視処理へ移行し、上記と同様の処理を繰り返す。【００４０】
ここで、入力映像信号が変更されたか否かの判定に要する時間は、上述したように誤判定を避けるために信号判別監視回路２による複数回の検出結果を用いるため、入力映像信号の安定度に依存する。そのため、背景技術の映像表示装置では、入力映像信号の変更有無を判定するまでに１秒から２秒程度要する。また、入力映像信号の変更有無の判定に時間を要することで、入力映像信号が変更されてから変更後の入力映像信号の種類や解像度に応じた画像処理が確定するまでに２秒から４秒程度の時間を要する。そのため、これらの処理の間に乱れた映像が表示されてしまう問題がある。
【先行技術文献】
【特許文献】
【００４１】
【特許文献１】特開２００７−９６８７５号公報
【発明の概要】
【００４２】
そこで、本発明は、入力される映像信号の種類や解像度の変更有無をより短い時間で判定できると共に変更時の表示画像の乱れがない映像表示装置を提供することを目的とする。
【００４３】
上記目的を達成するため本発明の映像表示装置は、入力された映像信号に基づいて映像を表示するための映像表示信号を生成し、前記映像表示信号にしたがって映像を表示する映像表示装置であって、
前記映像信号の全黒を検出し、該検出結果を示す黒検出信号を出力すると共に、前記映像信号が所定の期間途切れたとき、前記映像信号が無い無信号状態であるか否かの判定に要する時間よりも長い所要のパルス幅を備えた前記黒検出信号を出力する全黒検出回路を備え、前記全黒検出回路から前記黒検出信号が出力されると、次に入力されるフレームの映像信号に含まれる水平同期信号の周波数が予め設定された所定値以上変化したか否かを判定することで入力された映像信号の解像度が変更されたか否かを検出し、該映像信号の解像度の変更を検出すると、該検出結果を示す変更検出信号を出力する信号判別監視回路と、
前記変更検出信号を受信すると、表示映像を静止状態にするために前記映像表示信号を固定値で出力するスケーラー回路と、
を有する。
【図面の簡単な説明】
【００４４】
【図１】図１は、背景技術の映像表示装置の構成を示すブロック図である。
【図２】図２は、外部へ出力する映像信号を切替えるときの映像再生装置の動作例を示す模式図である。
【図３】図３は、本発明の映像表示装置の一構成例を示すブロック図である。
【図４】図４は、図３に示した全黒検出回路の一構成例を示すブロック図である。
【図５】図５は、図３に示した映像表示装置の入力映像信号の変更時の動作例を示す模式図である。
【発明を実施するための形態】
【００４５】
次に本発明について図面を参照して説明する。
【００４６】
一般に、コンピュータや種々の映像再生装置は、映像表示装置に対して供給する映像信号の種類や解像度を変更する場合、該映像信号を、一旦、全黒（０Ｖ）に設定し、その後、種類や解像度を変更した変更後の映像信号を出力する。
【００４７】
図２は外部へ出力する映像信号を切替えるときの映像再生装置の動作例を示す模式図である。図２は映像信号の解像度をＷＳＸＧＡ＋からＷＵＸＧＡへ変更する場合の、映像再生装置（コンピュータ）の動作例を示している。
【００４８】
図２に示すように、映像信号の解像度をＷＳＸＧＡ＋からＷＵＸＧＡへ変更する場合、映像再生装置は、まずＷＳＸＧＡ＋の映像信号仕様を維持しつつ映像をミュート（全黒）する。
【００４９】
次に、映像再生装置は、映像をミュート（全黒）しつつ映像信号仕様をＷＵＸＧＡへ変更する。
【００５０】
最後に、映像再生装置は、映像のミュート（全黒）を解除する。
【００５１】
本実施形態では、上記映像再生装置が出力する入力映像信号の全黒（０Ｖ）を検出した時点で入力映像信号の種類や解像度が変更されると判定して入力映像信号の変更有無の判定時間を短縮すると共に、入力映像信号の種類や解像度の変更時あるいは入力映像信号が突然途切れた場合における表示映像の乱れを抑制するための手法を提案する。
【００５２】
図３は本発明の映像表示装置の一構成例を示すブロック図である。
【００５３】
図３に示すように、本発明の映像表示装置は、図１に示した背景技術の映像表示装置が備える信号判別監視回路２に、入力映像信号が全黒（０Ｖ）であるか否かを検出する全黒検出回路２１を追加した構成である。映像表示装置のその他の構成は図１に示した背景技術の映像表示装置と同様であるため、その説明は省略する。
【００５４】
図４は、図３に示した全黒検出回路の一構成例を示すブロック図である。
【００５５】
図４に示すように、本実施形態の全黒検出回路２１は、比較器５３、ＡＮＤ回路５４、第１のラッチ回路５６、第２のラッチ回路５８、第１のタイマー回路６０、第２のタイマー回路６１、パルス生成回路６２及びＯＲ回路６３を備えている。
【００５６】
比較器５３は、入力映像信号（ＲＧＢ信号）の色毎の信号レベルと予め設定された黒レベル値とを比較し、その比較結果を出力する。比較器５３は、例えば、入力映像信号の各色の信号レベルが全て黒レベル値よりも小さい場合、比較結果として全黒であることを示す値「１」（黒Level）を出力する。映像信号の色毎の信号レベルが１色でも黒レベル値より大きい場合、比較結果として全黒でないことを示す値「０」（非黒Ｌｅｖｅｌ）を出力する。
【００５７】
ＡＮＤ回路５４は、比較器５３の出力値と第１のラッチ回路５６の出力値の論理積結果（１Bit）を、第１のラッチ回路５６及び第２のラッチ回路５８にそれぞれ出力する。
【００５８】
第１のラッチ回路５６は、水平同期信号及び垂直同期信号からＰＬＬ回路（不図示）によって生成された、これらの同期信号に同期するドットクロック信号（ＤｏｔＣＬＫ）の立ち上りまたは立ち下りのタイミングでＡＮＤ回路５４から出力された論理積結果をラッチ（記憶）し、ラッチした値をＡＮＤ回路５４の入力に帰還する。第１のラッチ回路５６でラッチ（記憶）している値は、垂直同期信号の出力毎に初期値（この場合は「１」）にリセットされる。
【００５９】
すなわち、ＡＮＤ回路５４は、パルス状の垂直同期信号が出力されてから次の垂直同期信号が出力されるまで、入力映像信号の各色の信号レベルが黒レベル値よりも小さければ全黒であることを示す値「１」（黒Level）を出力し続け、入力映像信号の各色の信号レベルが黒レベル値よりも一瞬でも大きくなると全黒でないことを示す値「０」（非黒Level）を出力し続ける。
【００６０】
ＡＮＤ回路５４の出力値は、垂直同期信号のタイミングで第２のラッチ回路５８でラッチ（記憶）され、黒検出信号として出力される。第２のラッチ回路５８から出力される黒検出信号は、垂直同期信号のタイミングで更新される。
【００６１】
ところで、図３に示す映像表示装置に映像信号を供給する映像再生装置の電源が切れた場合、あるいは映像表示装置に映像信号を供給するためのケーブルが引き抜かれた場合のように、映像表示装置に対する入力映像信号が突然途切れると、その入力映像信号と共に入力される垂直同期信号も途切れることになる。
【００６２】
図３に示す全黒検出回路２１は、垂直同期信号を用いて比較器５３、第１のラッチ回路５６、第２のラッチ回路５８及びＡＮＤ回路５４により黒検出信号を生成するため、垂直同期信号が途切れると黒検出信号が出力されなくなる。本発明では、後述するように、この黒検出信号が出力されると、入力映像信号の種類や解像度の変更あるいは入力映像信号が途切れたと判断し、表示パネル６で表示する映像を静止（Freeze）させることで、入力映像信号の種類や解像度の変更時あるいは入力映像信号が途切れたときの表示映像の乱れを無くしている。そのため、垂直同期信号が突然途切れた場合も黒検出信号を出力する必要がある。
【００６３】
そこで、本実施形態の全黒検出回路２１では、第１のタイマー回路６０、第２タイマー回路、パルス生成回路６２及びＯＲ回路６３を用いて、垂直同期信号が予め設定された所定の期間途切れた場合も黒検出信号を生成する。
【００６４】
第１のタイマー回路６０は、垂直同期信号の１周期よりも長い時間（例えば、垂直同期信号の２周期に相当する時間）でタイムアウトするように予めタイマー値が設定され、第２のタイマー回路６１は、例えば２秒程度の時間でタイムアウトするように予めタイマー値が設定されている。
【００６５】
第１のタイマー回路６０は、垂直同期信号が入力されるとカウントを開始し、次の垂直同期信号が入力されるとカウント値をリセットして再びカウントを開始する。垂直同期信号が所定の周期で入力されている場合、第１のタイマー回路６０は、タイムアウトする前に次の垂直同期信号が入力されるため、何も出力しない。
【００６６】
一方、垂直同期信号が途切れた場合、第１のタイマー回路６０は、タイムアウトした時点でパルス生成回路６２にパルス信号を生成させるための第１の制御信号を出力する。第１のタイマー回路６０から出力された第１の制御信号は第２のタイマー回路６１にも入力される。
【００６７】
第２のタイマー回路６１は、第１のタイマー回路６０から第１の制御信号が入力されるとカウントを開始し、タイムアウトした時点でパルス生成回路６２にパルス信号を終了させるための第２の制御信号を出力する。
【００６８】
パルス生成回路６２は、第１のタイマー回路６０から出力された第１の制御信号のタイミングで、例えば出力値を立ち上げ、第２のタイマー回路６１から出力される第２の制御信号のタイミングで出力値を立ち下げることで、パルス信号を出力する。なお、パルス生成回路６２は、第１の制御信号のタイミングで出力値を立ち上げた後、第２のタイマー回路６１がタイムアウトする前に垂直同期信号が再び入力された場合も出力信号を立ち下げる。この場合、パルス生成回路６２からはパルス幅が短い黒検出信号が出力される。
【００６９】
本実施形態では、後述するように黒検出信号が出力されると、信号判別監視回路２によって入力映像信号の変更有無および入力映像信号が無い無信号状態であるか否かを判定し、該判定結果に基づいて変更後の入力映像信号にしたがって映像を表示する。したがって、パルス幅が短い黒検出信号が出力されても、その後、映像信号及び垂直同期信号が正常に入力されれば、その正常な映像信号及び該垂直同期信号にしたがって映像が表示されるため、表示映像が乱れることはない。
【００７０】
ＯＲ回路６３は、パルス生成回路６２の出力信号と第２のラッチ回路５８の出力信号の論理和を出力する。すなわち、ＯＲ回路６３からは入力映像信号の全黒（０Ｖ）が検出されたとき、および垂直同期信号が所定の期間途切れたときに黒検出信号が出力される。
【００７１】
通常、信号判別監視回路２により入力映像信号が無い無信号状態であるか否かの判定に要する時間は１〜２秒程度である。したがって、第２のタイマー回路６１のタイマー値は、無信号状態であるか否かの判定に要する時間よりも長い、２秒程度に設定すればよい。第２のタイマー回路６１のタイマー値が長すぎる場合、後述する表示画像を静止（Freeze）させる時間が長くなるため、映像表示装置の無信号状態への移行が遅くなる。
【００７２】
図５は、図３に示した映像表示装置の入力映像信号の変更時の動作例を示す模式図である。
【００７３】
図５は、横軸方向に配置された映像表示装置の各構成要素に対応する入力画像が時間の推移（縦軸方向）と共に変化していく様子を示している。また、図５は、入力映像信号の解像度がＷＳＸＧＡ＋からＷＵＸＧＡに切り替わるときの様子を示している。映像表示装置が備える表示パネルの解像度はＷＵＸＧＡに対応しているものとする。
【００７４】
図５に示すように、映像信号の変更に伴い、本実施形態の映像表示装置に全黒（０Ｖ）信号が入力されると（図５（ａ））、信号判別監視回路２が備える全黒検出回路２１により入力映像信号が全黒（０Ｖ）であることを示す黒検出信号が出力される。
【００７５】
全黒検出回路２１から黒検出信号が出力されると、信号判別監視回路２は信号判別処理に移行する。全黒検出回路２１から出力された黒検出信号は、ＣＰＵ４を介すことなくスケーラー回路３に供給される。また、本実施形態では、入力映像信号が途切れた場合も、上述したように全黒検出回路２１にて所要のパルス幅を備えた黒検出信号が生成され、該黒検出信号がＣＰＵ４を介すことなくスケーラー回路３に供給される。
【００７６】
スケーラー回路３は、信号判別監視回路２から黒検出信号を受信すると、同期切替えスイッチ３５により同期信号生成回路３６で生成した、入力映像信号に対して非同期なパネル用垂直同期信号（６０Ｈｚ）を映像出力部３４に供給し、映像出力部３４により映像表示信号と共にパネル用垂直同期信号（６０Ｈｚ）をパネル駆動回路５へ出力する（図５（ｂ））。
【００７７】
信号判別監視回路２は、信号判別処理に移行すると、まず切替え後の映像信号に含まれる水平同期信号及び垂直同期信号の間隔を所定の基準クロックを用いてカウントし、水平同期周波数（７４．０３８ＫＨｚ：誤差±１％精度）及び垂直同期周波数（５９．９５Ｈｚ：誤差±０．５％精度）をそれぞれ測定する。
【００７８】
また、信号判別監視回路２は、測定した水平同期周波数（水平同期信号の周波数）が予め設定された所定値（例えば、±０．５％）以上変化したか否かを判定し、入力映像信号の解像度が変更されたか否かを判断する。水平同期信号の周波数が所定値以上変化している場合、信号判別監視回路２は、該検出結果を示す変更検出信号を、ＣＰＵ４を介すことなくスケーラー回路３へ出力する（図５（ｃ））。なお、入力映像信号が途切れている場合、信号判別監視回路２は、この段階で入力映像信号が無い無信号状態であると判別できる。その場合も、信号判別監視回路２はスケーラー回路３へ変更検出信号を出力する。
【００７９】
スケーラー回路３は、信号判別監視回路２から変更検出信号を受信すると、映像出力部３４から出力している映像表示信号を固定値に設定し、表示パネル６で表示する映像を静止（Freeze）させる。このとき、スケーラー回路３は、信号判別監視回路２から、後述する画像処理設定の完了を示す設定完了信号を受信するまで、あるいは全黒検出回路２１から出力されている黒検出信号が終了するまで（例えば、立ち下がるまで）、表示パネル６で表示する映像の静止状態を維持する。
【００８０】
次に、信号判別監視回路２は、水平同期周波数及び垂直同期周波数のカウント値より映像信号の総ライン数（１２３５Line：誤差±１％精度）を算出し、算出した総ライン数に基づき、入力映像信号の有効映像ライン数を決定する（１２００Line）。
【００８１】
さらに、信号判別監視回路２は、水平同期信号及び垂直同期信号から映像信号の同期極性（Ｈ：Posi、Ｖ：Nega）、同期タイプ（Sep）、スキャンタイプ（Non-Interlaced）及び垂直同期信号幅（６Line）を検出し、これらの情報をＣＰＵ４へ出力する。
【００８２】
ＣＰＵ４は、信号判別監視回路２で取得した各種の情報から入力映像信号の種類（ＲＧＢ信号）及び解像度（ＷＵＸＧＡ）を判定し、アスペクト比１６：１０を確定する。
【００８３】
また、ＣＰＵ４は、入力映像信号の種類や解像度が確定すると、画像処理設定に移行し、確定した入力映像信号の種類や解像度（ＷＵＸＧＡ）に対応したパラメータ値（Ａ／Ｄコンバータ１用の分周比及び位相、スケーラー回路３用の解像度変換データ、アスペクト比、カラーシステム）をＡ／Ｄコンバータ１及びスケーラー回路３に供給する。このとき、スケーラー回路３は、映像出力部３４に表示映像の静止状態（freeze）を維持させている（図５（ｄ））。
【００８４】
ＣＰＵ４による画像処理設定が完了すると、信号判別監視回路２は、画像処理設定完了を示す設定完了信号をスケーラー回路３に出力する。
【００８５】
スケーラー回路３は、信号判別監視回路２から設定完了信号を受信すると、映像出力部３４による表示映像の静止状態を解除し、同期切替えスイッチ３５により入力映像信号から抽出した垂直同期信号を映像出力部３４に供給し、映像出力部３４により該垂直同期信号及び変更後の映像信号から生成した映像表示信号をパネル駆動回路５へ出力する（図５（ｅ））。
【００８６】
ここで、図５に示す動作例では、入力映像信号の解像度をＷＳＸＧＡ＋からＷＵＸＧＡへ切替えており、垂直同期周波数はそれぞれ６０Ｈｚ以下である。ＷＳＸＧＡ＋の映像及びＷＵＸＧＡの映像は、画像処理設定後、入力映像信号の垂直同期信号に同期して表示パネル６に表示される。そのため、信号判別処理及び画像処理設定時に、パネル用垂直同期信号（６０Ｈｚ）を用いる必要がないようにも考えられる。
【００８７】
しかしながら、表１及び表２で示したように、ＷＳＸＧＡ＋の垂直同期周波数は５９．８８３Ｈｚであり、ＷＵＸＧＡの垂直同期周波数は５９．９５Ｈｚであり、わずかに異なっている。そのため、信号判別処理及び画像処理設定時に入力映像信号から抽出した垂直同期信号を用いると、表示映像の静止状態（Freeze）を解除した瞬間に表示映像が垂直方向に微動する可能性がある。
【００８８】
そのため、本実施形態の映像表示装置では、入力映像信号の全黒を検出した時点で、非同期のパネル用垂直同期信号（６０Ｈｚ）を用いた映像表示に切替え、信号判別処理及び画像処理設定の完了後、変更後の入力映像信号から抽出した垂直同期信号を用いた映像表示に切替える（図５（ｆ））。
【００８９】
最後に、映像表示装置は、信号監視処理に移行する。信号判別監視回路２は、信号監視処理において、ＣＰＵ４の処理周期（例えば、２５ｍｓｅｃ）ではなく、入力映像信号から抽出した垂直同期信号の周期毎（垂直同期周波数が６０Ｈｚの場合は１６．６７ｍｓｅｃ）に、入力映像信号の種類及び解像度の変化を上記信号判別処理と同様の手順で監視する。
【００９０】
なお、入力映像信号が途切れている場合、信号判別監視回路２は無信号状態を検出した時点で処理を停止し、ＣＰＵ４は画像処理設定を行わない。その場合、スケーラー回路３は、上述したように全黒検出回路２１から出力されている黒検出信号が終了した時点で表示映像の静止状態を解除し、その後、入力映像信号が無いため、表示パネル６に表示する映像を全黒に設定する。
【００９１】
本実施形態の映像表示装置によれば、入力映像信号の全黒を検出した時点で入力映像信号に変更があると判定し、次に入力されたフレームの映像信号に含まれる、例えば水平同期周波数の変化の有無により入力映像信号の解像度の変更を検出するため、背景技術のように信号判別監視回路２による複数回の検出結果を用いて入力映像信号の変更有無を判定する必要がない。そのため、入力映像信号の変更有無の判定に要する時間を短縮できる。
【００９２】
また、本実施形態の映像表示装置では、水平同期周波数の変化により入力映像信号の解像度の変更を検出すると、表示映像を静止させ、変更後の入力映像信号に対応した画像処理設定が完了した後、表示映像の静止状態を解除するため、表示映像が乱れることなく、かつ継ぎ目なく、変更後の入力映像信号の種類や解像度に応じた映像を表示できる。
【００９３】
さらに、本実施形態の映像表示装置では、全黒検出回路２１に第１のタイマー回路６０、第２のタイマー回路６１、パルス生成回路６２及びＯＲ回路６３を備え、垂直同期信号が所定の期間途切れた場合も、無信号状態であるか否かの判定に要する時間よりも長い所要のパルス幅を備えた黒検出信号を出力する。そのため、映像表示装置に入力される映像信号が突然途切れた場合も表示映像が静止し、無信号状態と判別するのに必要な時間が経過した後、表示映像の静止状態が解除されるため、無信号状態へ移行する場合も表示映像が乱れることがない。
【００９４】
以上、実施形態を参照して本願発明を説明したが、本願発明は上記実施形態に限定されものではない。本願発明の構成や詳細は本願発明のスコープ内で当業者が理解し得る様々な変更が可能である。
【図１】
2011033607.tif 000005
【図２】
2011033607.tif 000006
【図３】
2011033607.tif 000007
【図４】
2011033607.tif 000008
【図５】
2011033607.tif 000009
【国際調査報告】
2011033607.tif 000010
2011033607.tif 000011
2011033607.tif 000012
2011033607.tif 000013